(57)【要約】【課題】ランプ光源の調光機能を利用し、ランプ光源と安定器に対し、条件付き制御を行うことにより装置内における温度上昇を抑制することによって安全性、耐久性、省エネルギ性能を向上させるスキャナ装置を提供する。【解決手段】原稿を読み取るための光源２を備え、この光源の明るさを変更可能な機能を有するスキャナ装置において、連続して原稿を読み取る場合に、前記原稿の量によって、前記光源２の明るさを変更する。【選択図】図２
2008054259.tif 000002
【特許請求の範囲】
【請求項１】
原稿を読み取るための光源を備え、該光源の明るさを変更可能なスキャナ装置において、連続して原稿を読み取る場合に前記原稿の量によって前記光源の明るさを制御する制御手段を備えたことを特徴とするスキャナ装置。
【請求項２】
連続原稿送りを行うドキュメントフィーダと、該ドキュメントフィーダにセットされた原稿量を検出する原稿量検出手段と、を備え、前記制御手段は、ジョブ開始時に前記原稿量検出手段により検出した原稿量に基づいて、前記光源の明るさを設定して読み取りを開始することを特徴とする請求項１記載のスキャナ装置。
【請求項３】
前記制御手段は、原稿量の検出結果に関わらず、前記原稿の読み取り過程で初期の明るさを継続して読み取ることを特徴とする請求項２記載のスキャナ装置。
【請求項４】
前記制御手段は、前記原稿の読み取りの過程で前記原稿量の検出結果に従って明るさを途中で変更して読み取ることを特徴とする請求項２記載のスキャナ装置。
【請求項５】
操作パネルを備え、該操作パネル上でユーザーが選択もしくは入力した原稿量に応じて、前記操作パネル上に推奨する光源の明るさを表示すると共に、ユーザーが選択した結果に基づき前記光源の明るさを変更することを特徴とする請求項１記載のスキャナ装置。
【請求項６】
前記制御手段は、前記読み取った原稿量に基づいて、原稿紙間で前記光源の明るさを決定することを特徴とする請求項１記載のスキャナ装置。
【請求項７】
前記制御手段は、前記光源の明るさを変更後にアンプゲインも同時に変更することを特徴とする請求項１記載のスキャナ装置。
【請求項８】
前記制御手段は、前記光源の明るさ変更後にシェーディングを必ず実行することを特徴とする請求項１記載のスキャナ装置。
【請求項９】
前記制御手段は、前記原稿量だけでなく原稿読み取りジョブ開始時に前回のジョブ終了からの経過時間も加味して、前記光源の明るさを決定することを特徴とする請求項１記載のスキャナ装置。
【請求項１０】
プロッタ装置と組み合わせて使用される場合において、前記制御手段は、前記プロッタ装置の稼働状況を条件に加味して、前記光源の明るさを決定することを特徴とする請求項１記載のスキャナ装置。
【発明の詳細な説明】
【技術分野】
【０００１】
本発明は、複写装置、ファクシミリ装置等の画像形成装置における自動原稿送り装置を含む画像読み取り装置であるスキャナ装置に関するものである。
【背景技術】
【０００２】
近年、スキャナ装置の高速化やカラー化に伴い、光源光量の増大、デバイスの高クロック化モータの大電流化などで、消費電力が増え、それに伴う温度上昇が深刻な問題となっている。
特に、スキャナ内部は、外部からの埃、塵などがレンズ等光学部品に付着すると、読み取った原稿画像にスジとして現れてしまうことがあるため、極力密閉するような構造となっており、放熱性がすこぶる悪い状態になっている。
【０００３】
従来の装置では、その状態を解消するため、吸気、又は、排気ファンを搭載し、かつ前述した埃に対処するためのフィルタを装備するなどの冷却設備を負荷することにより対応していた。
さらに、機内温度を検出し、規定の温度異常に上昇した場合に、スキャン動作そのものを停止してしまうような制御も開示されている。スキャナ内部の発熱体としては、光源であるランプ、安定器、スキャナモータなどが主であり、ＣＣＤをはじめとするデバイス類の寄与は比較的小さいことが判っている。
スキャナ外では、設置環境はもちろんであるが、複写機のようにプロッタ部の上にスキャナ装置が位置する場合には、プロッタ定着部や転写紙からの熱に曝され、その影響も無視できないレベルになってきている。
なお、先行文献としては特許文献１等が挙げられる。
【特許文献１】特開昭６３−２９６５５６号公報
【発明の開示】
【発明が解決しようとする課題】
【０００４】
しかしながら、従来の対策では、ファンによる騒音やコストアップ、また、ユーザーに対する制約条件などは極力無くすべき事柄であり、温度対策と同時にかかる不都合の解決も問題となっていた。
そこで、本発明の目的は、上述した実情を考慮して、熱排出の大きいモジュールである、ランプ光源の調光機能を利用し、温度上昇に最も大きく寄与すると考えられるランプ光源と安定器に対し、条件付き制御を行うことにより装置内における温度上昇を抑制することによって安全性、耐久性、省エネルギ性能を向上させるスキャナ装置を提供することにある。
【課題を解決するための手段】
【０００５】
上記の課題を解決するために、請求項１に記載の発明は、原稿を読み取るための光源を備え、該光源の明るさを変更可能なスキャナ装置において、連続して原稿を読み取る場合に前記原稿の量によって前記光源の明るさを制御する制御手段を備えたスキャナ装置を特徴とする。
また、請求項２に記載の発明は、連続原稿送りを行うドキュメントフィーダと、該ドキュメントフィーダにセットされた原稿量を検出する原稿量検出手段と、を備え、前記制御手段は、ジョブ開始時に前記原稿量検出手段により検出した原稿量に基づいて、前記光源の明るさを設定して読み取りを開始する請求項１記載のスキャナ装置を特徴とする。
【０００６】
また、請求項３に記載の発明は、前記制御手段は、原稿量の検出結果に関わらず、前記原稿の読み取り過程で初期の明るさを継続して読み取る請求項２記載のスキャナ装置を特徴とする。
また、請求項４に記載の発明は、前記制御手段は、前記原稿の読み取りの過程で前記原稿量の検出結果に従って明るさを途中で変更して読み取る請求項２記載のスキャナ装置を特徴とする。
【０００７】
また、請求項５に記載の発明は、操作パネルを備え、該操作パネル上でユーザーが選択もしくは入力した原稿量に応じて、前記操作パネル上に推奨する光源の明るさを表示すると共に、ユーザーが選択した結果に基づき前記光源の明るさを変更する請求項１記載のスキャナ装置を特徴とする。
また、請求項６に記載の発明は、前記制御手段は、前記読み取った原稿量に基づいて、原稿紙間で前記光源の明るさを決定する請求項１記載のスキャナ装置を特徴とする。
また、請求項７に記載の発明は、前記制御手段は、前記光源の明るさを変更後にアンプゲインも同時に変更する請求項１記載のスキャナ装置を特徴とする。
【０００８】
また、請求項８に記載の発明は、前記制御手段は、前記光源の明るさ変更後にシェーディングを必ず実行する請求項１記載のスキャナ装置を特徴とする。
また、請求項９に記載の発明は、前記制御手段は、前記原稿量だけでなく原稿読み取りジョブ開始時に前回のジョブ終了からの経過時間も加味して、前記光源の明るさを決定する請求項１記載のスキャナ装置を特徴とする。
また、請求項１０に記載の発明は、プロッタ装置と組み合わせて使用される場合において、前記制御手段は、前記プロッタ装置の稼働状況を条件に加味して、前記光源の明るさを決定する請求項１記載のスキャナ装置を特徴とする。
【発明の効果】
【０００９】
本発明によれば、発熱体でもある光源の状態を適正に保つことができ、温度上昇を抑えることにより、冷却部品の削除によるコストダウン、光源に投入する電流の適正化による省エネルギ、装置の耐久性の向上が期待できる。
【発明を実施するための最良の形態】
【００１０】
以下、図面を参照して、本発明の実施の形態を詳細に説明する。図１は自動原稿送り装置を含む画像読み取り装置をスキャナ装置として示す概略図である。図１に基づいて、本発明の構成と動作について説明する。
図１のスキャナ装置１において、光源であるランプ（キセノンランプ）２は、第１キャリッジ３に載置されており、原稿台（コンタクトガラス）４に載せられた原稿の下を第１キャリッジ３が移動することによりスキャンすることができる。
読み取った反射光は、第１及び第２キャリッジ３、５に配置されたミラーで反射され且つ導かれて、レンズ６を通り、ＣＣＤ７を備えたＣＣＤ基板（ＳＢＵ）８に達し、電気信号に変換される。スキャナ装置１はスキャナモータ９によって駆動される。
【００１１】
また、連続して原稿をスキャンする時には、ドキュメントフィーダ１ａと呼ばれる自動原稿送り装置を付加することにより、第１及び第２キャリッジ３、５は停止したままで、原稿窓１０の上を原稿が移動することによって読み取ることが可能となっている。
自動原稿送り装置では、原稿トレイ１２上に積載された原稿はピックアップローラ１３を通って搬送ドラム１４に搬送され、原稿窓１０の上を通過して表面をＣＣＤ７で読み取られ、続いて、基準白ローラ１５で調整しながら密着センサ１１によって裏面を読み取られ、読み取られた原稿は排紙ローラ１６から排紙トレイ１７に放出される。
本実施の形態では、原稿両面読み取りに対応した例であるが、自動原稿送り装置１ａにセットされた原稿は、密着センサ１１で裏面を読み取られながら、表面も同時に原稿台４にて停止した第１及び第２キャリッジ３、５上を原稿が移動することによってＣＣＤ７で読み取ることができる。両面読み取りに対応していない場合は、裏面用の読み取りセンサ（密着センサ１１）が省略された構成になる。
【００１２】
上述のように、スキャナ光源２の明るさを調光、又は切り換え可能な装置において、例えば、原稿台４にユーザーが原稿を置いて、スキャンを行うような場合には、スキャンの度に原稿の置き替えが行われるので、１ジョブ／１スキャンといった操作になるため、ジョブ間では、スキャナは待機状態であり、ランプやモータの発熱に対しては有利であり、さほど考慮する必要がない。
しかしながら、ドキュメントフィーダのような自動原稿送り装置１ａを付加した場合に、複数原稿を連続して読み取ることが可能になるために原稿間の時間は非常に短く、従って、スキャナの待機状態はほとんどなく、ランプ、モータは連続動作を強いられることが多い。
これは、複数原稿を連続して読み取るという装置の目的上避けられない問題である。このような状況において、発熱体である光源２の消費電力を押さえ、省エネルギ、温度上昇低減を図る努力が必要である。
【００１３】
図２は原稿の量によって、光源の明るさを変更する光源の明るさ変更機構の構成を示す概略図である。図２において、スキャナ装置を制御する制御ＣＰＵであるＣＰＵ１は、キャリッジ（図示せず）を動かすためのスキャナモータ９を制御し、光源（ランプ）２のオフ／オンを行い、明るさの切り換えを行うポート出力、ＣＣＤ基板８のアンプゲイン調整、アンプオフセット調整などの機能を司っている。
原稿の反射光は、図示してないミラー、レンズを介して、ＣＣＤ７に入力され、電気信号に変換される。その信号は微弱であるためにゲインを有するアンプ１８で増幅され、クランプやオフセット調整などの回路を経て、最終的にＡＤコンバータ１９でデジタル信号に変換される。
変換された信号は、画像処理板２０でシェーディング２１、フィルタ２２、変倍２３などの画像処理を行い、接続されたプロッタ部、ＰＣ（パソコン）などに出力される。
ＣＰＵ１は、読み取る、又は、読み取った、原稿枚数情報により、ランプ光源２の安定器２４に対して明るさの設定を行うとともに、必要に応じてＣＣＤ基板８のアンプゲインなどの調整値を変更することも同時に行う。
【００１４】
図３は本発明のスキャナ装置の動作の第１の実施の形態である原稿の量によって光源の明るさを変更する動作を説明するフローチャートである。図２及び図３を参照して、原稿をセットし（Ｓ１）、原稿枚数を確認し（Ｓ２）、光量が低減したかどうかを判断する（Ｓ３）。
光量が低減していない場合には、安定器２４（図２）に低光量モードを設定する（Ｓ４）。次いで、読み取りを開始し（Ｓ５）、読み取りを終了する（Ｓ６）。ステップ（Ｓ３）で光量が低減していれば、安定器２４に標準光量モードを設定して（Ｓ７）、読み取りを開始するステップ（Ｓ５）に移行する。
本発明のスキャナ装置において、ドキュメントフィーダ等の連続して原稿送りを実施する手段を利用する時に、セットされた原稿量を検出する原稿量検出手段（図１のセンサＡ）を持つ場合には、ジョブ開始時に検出した原稿量に基づいて、光源２（図２）の明るさを設定し、読み取りを開始する。このようにすれば、ジョブ内での制御なく、安定で、かつ均一な原稿読み取り画質の確保が期待できる。
【００１５】
図４は本発明のスキャナ装置の動作の第２の実施の形態である原稿の量によって光源の明るさを変更する動作を説明するフローチャートである。図２及び図４を参照して、原稿をセットし（Ｓ１１）、原稿枚数を確認し（Ｓ１２）、原稿量検出手段（図１のセンサＡ）がオフかどうかを判断する（Ｓ１３）。
原稿量検出手段がオフでないならば、安定器２４に低い光量モードをセット（Ｓ１４）して、読み取りを開始し（Ｓ１５）、読み取りを終了する（Ｓ１６）。ステップ（Ｓ１３）において、原稿量検出手段がオフならば、安定器２４に標準光量をセット（Ｓ１７）して読み取り開始（Ｓ１５）に移行する。
スキャナ装置に装着された、自動原稿送り装置において、図４のようなセットされた原稿量を検出する原稿量検出手段により、予め読み込む原稿枚数が判別可能な時には、その枚数に応じた光源の明るさをスキャン前に決定することができる。
例として、原稿量を２水準、光源明るさ設定を２水準で判別した動作を説明する。自動原稿送り装置からのセット枚数情報は、原稿トレイに設置されたセンサ（図示せず）のオフ／オンで判別を行う。
即ち、センサが、原稿トレイ中央部に設置されているとすると、原稿がセンサ位置までに達しているとセンサはオンになり、達していないとオフの信号をＣＰＵ１に返す。
【００１６】
一方、ランプ光源２は、駆動される安定器２４の切り換えポートによって明るさが標準、低減と２つのモードで切り換え点灯可能となっている。ＣＰＵ１は、原稿量の大小、即ち、検出信号のオフ／オンによって、ランプ光源の明るさを標準、又は低減モード設定する制御を行う。検出信号がオフの時は、通常通りにスキャンを行うが、検出信号がオンの時は、安定器２４の明るさモードを低減モードに設定し、読み取りを行う。
上述したスキャナ装置において、例えば、センサ位置よりも多い原稿がセットされた時に、センサは、オンとなる。その状態の時には、明るさ低減モードにランプ光源２を設定して読み取りを開始する。その状態で、読み取り続けた場合に原稿の残量がセンサ位置を下回った時点でセンサ出力は、オフ状態になる。
このような状態においても、原稿読み取りの過程で、原稿量の検出結果に拘わらず初期の明るさを継続して、即ち、初期に設定した光量を保ったまま、読み取りを継続するように構成することもできる。
【００１７】
図５は本発明のスキャナ装置の動作の第３の実施の形態である初期に設定した光量を保ったまま読み取りを継続する構成の動作を説明するフローチャートである。図２及び図５を参照して、原稿をセットし（Ｓ２１）、原稿量検出手段がオフかどうかを判断する（Ｓ２２）。
原稿量検出手段がオフでないならば、安定器２４に低い光量モードをセット（Ｓ２３）して、読み取りを開始し（Ｓ２４）、センサ検出に関わらずモードを変更しないで（Ｓ２５）、読み取りを終了する（Ｓ２８）。
ステップＳ２２において、原稿量検出手段がオフならば、安定器２４に標準光量をセット（Ｓ２６）して読み取りを開始（Ｓ２７）、読み取りを終了する（Ｓ２８）。
即ち、初期設定後は、ＣＰＵ１はセンサ出力をモニタせず、モニタするのは、ジョブ開始時のみとすることによって、この制御が実現できる。従って、ジョブ内での制御なく、安定でかつ、均一な原稿読み取り画質の確保が期待できる。
【００１８】
図６は本発明のスキャナ装置の動作の第４の実施の形態である検出結果に従い明るさを途中で変更構成の動作を説明するフローチャートである。図２及び図６を参照して、上記の第３の実施の形態では、ジョブ開始時に決定したランプ光源の明るさを継続して読み取りを行ったが、この第４の実施の形態では、原稿読み取りの過程で、逆にセンサのオフ／オンに寄って、検出結果に従い、明るさを途中で変更して読み取る。
原稿をセットし（Ｓ３１）、原稿量検出手段（図１のセンサＡ）がオフかどうかを判断する（Ｓ３２）。原稿量検出手段がオフでないならば、安定器２４に低い光量モードをセット（Ｓ３３）して、読み取りを開始し（Ｓ３４）、再び原稿量検出手段がオフかどうかを判断し（Ｓ３５）、原稿量検出手段がオフならば、安定器２４に標準光量をセット（Ｓ３６）して読み取りを終了する（Ｓ２７）。
ステップＳ３２において、原稿量検出手段がオフならば、安定器２４に標準光量をセット（Ｓ３８）して読み取りを開始（Ｓ３９）、読み取りを終了する（Ｓ３７）。
【００１９】
第３の実施の形態では、原稿量センサがオンの時にランプ光源低減モードで原稿を読み取り続ける制御を実施しているが、第４の実施の形態では、原稿量センサがオンの時にランプ光源を低減モードとし、オフの時に標準モードに切り換える、又はその逆の制御を行う。
第３の実施の形態では、一義的に決定した明るさを変えないことにより、原稿間での読み取り特性の変化を押さえるメリットがあるが、第４の実施の形態では、原稿量センサの出力状態によって、制御を行うことにより、ハードで実現することも容易であり、制御自体もシンプルのため、ソフトで実現しても負荷は小さい。
【００２０】
また、一般的に、ランプ光源２は、温度が上がると発光光量が下がっていく傾向があるので、原稿量検出手段がオフの時点で低減モードから標準モードに切り換えることは、減光分を補正する効果も期待できる。
第２の実施の形態乃至第４の実施の形態では、スキャナ装置に備えられているＣＰＵ１において、読み取る原稿量を検出し、自動的にランプ光源２の明るさを決定し、温度上昇の抑制や省エネルギ化を図るものであった。しかしながら、ユーザーによっては自動のみならず目的に応じてその設定を変えたいというニーズが考えられ、その要求に応える必要がある。
【００２１】
図７は本発明のスキャナ装置の動作の第５の実施の形態であるユーザーの要求に応じてその設定を変える構成の動作を説明するフローチャートである。図２及び図７を参照して、原稿をセットし（Ｓ４１）、原稿枚数を検出し（Ｓ４２）、推奨光源モードを操作部（図示せず）に表示する（Ｓ４３）。
次いで、ユーザーが低減モード、標準モード、紙間モード等のモードを選択する（Ｓ４４）。次に、選択したモードを設定し（Ｓ４５）、読み取りを開始し（Ｓ４６）、次いで読み取りを終了する（Ｓ４７）。
この第５の実施の形態の特徴は、単純に上述した第２乃至第４の実施の形態の機能をオフするのみならず、それらの選択した結果をスキャナの図示してない操作表示部（操作パネル）に表示の上、そのままスキャン開始ボタン（図示せず）が押されれば、その設定でスキャンを開始する。
明るさ変更をユーザーが選択した場合には、その選択された明るさでスキャンを開始することによりユーザビリティを向上させている。第２乃至第４の実施の形態の機能が自動で制御され、ユーザーの望む画質条件が得られない可能性を払拭することが期待できる。
【００２２】
図８は本発明のスキャナ装置の動作の第６の実施の形態である、原稿紙間で、ランプ光源の明るさを決定する構成の動作を説明するフローチャートである。図２及び図８を参照して、原稿をセットし（Ｓ５１）、読み取りを開始する（Ｓ５２）。
次に、残り原稿無しかどうかを判断し（Ｓ５３）、残り原稿無しならば、読み取りを終了する（Ｓ５４）。ステップＳ５３において残り原稿が有るならば、読み取り済み原稿枚数に合わせてモードを設定し（Ｓ５５）、安定器２４に該当モードをセットして（Ｓ５６）、ステップＳ５３に戻る。
読み取り済み原稿枚数とモードの関係は、読み取り済み原稿１〜１０枚を標準モード、２０〜５０枚を標準モードで０．９光量、そして５０枚以上を標準モードで０．８光量とする。
原稿がセットされ、スキャン開始とともにＣＰＵ１は、読み取った原稿の枚数をカウントする。その開始時のランプ光源２の明るさは、標準モードとし、その後カウントに応じて明るさを原稿の紙間で変更を行う。例えば、１０枚で１０％減光、２０枚で２０％減光等といった具合である。
【００２３】
上述した第２の実施の形態乃至第４の実施の形態では、原則として、予めセットされた原稿量を検出し、その情報に従ってランプ光源２の明るさを決定していたが、この第６の実施の形態では、ジョブ途中で原稿量検出手段の検出等ではなく読み取った原稿の枚数をカウントすることによって、明るさの設定を変える。これによって、読み取る原稿の量に拘わらず、きめ細かな明るさ制御が可能となり、副作用が少ない省エネルギ、低温度上昇効果が期待できる。
【００２４】
図９は第７の実施の形態である明るさを変更後に、アンプゲインも同時に変更する動作を説明する概念図である。図２及び図９を参照して、上述したようにスキャナ装置のＣＣＤ後段には、光電変換後の画像信号を増幅するためのアンプ１８があり、そこで、光量変化に応じたゲインの設定を行うことが可能である。
上述した実施の形態では、ランプ光源２の明るさを条件によって変更するようにしているが、光源２の明るさを変更した時にその変更した割合に合わせて、アンプゲインも変更する。
本来、アンプのゲイン調整は、基準白板などのデータを読んで、基準の値になるように高精度な調整を行う必要があるが、ランプ光源２の減光分がすでに判っているので、それに応じた割合だけゲインを大きくしてやればよいので、調整に要する時間は、アンプに設定する時間だけであり、調整時間としては無視できるレベルに押さえることが可能である。
このことにより、原稿データのダイナミックレンジを減光によって損なうことなく、適切に保つことが可能となり、明るさに応じたダイナミックレンジを設定でき、良好な読み取り画像品質を得ることが期待できる。
【００２５】
図１０は第８の実施の形態であるランプ光源の明るさ変更に対応して、シェーディングデータを更新する動作を説明する概念図である。図２及び図１０を参照して、第７の実施の形態と同様にランプ光源２の明るさ変更に対応して、シェーディングデータを更新することにより、同様の効果が期待できる。
新規にシェーディングデータを生成すると、減光分の補正及びランプの発光分布をも補正することが可能であるが、基準白板を読むという動作が、スキャナの生産性上問題になる時は、シェーディングデータに減光割合分だけ、減算、又は乗算を行い、補正を行うことも可能である。
この第８の実施の形態は、第７の実施の形態と異なり、デジタルデータのみを扱うことにより、アナログ回路の制約（アンプ１８のゲイン可変範囲等）を受けない。従って、第７の実施の形態のダイナミックレンジのみならず、照度分布を含め適正化できることにより、より高画質な画像を得ることが期待できる。
【００２６】
図１１は本発明のスキャナ装置の動作の第９の実施の形態である、前回のジョブ情報を減光条件に加えることによってより正確に機内の温度情報を予測した減光配分を行う構成の動作を説明するフローチャートである。図２及び図１１を参照して、原稿をセットし（Ｓ６１）、読み取りを開始する（Ｓ６２）。
次に、前回ジョブからの経過時間を算出し（Ｓ６３）、次に残り原稿無しかどうかを判断し（Ｓ６４）、残り原稿無しならば、読み取りを終了する（Ｓ６５）。ステップＳ６４で残り原稿が有るならば、読み取り済み原稿枚数に合わせてモードを設定し（Ｓ６６）、安定器２４に該当モードをセットして（Ｓ６７）、ステップＳ６４に戻る。
【００２７】
前述したスキャナ装置の他の実施の形態においては、スキャナ原稿量に応じて、ランプ光源２の明るさを決定することにより、装置内の温度上昇の低減や省エネルギ効果を得ていた。
しかしながら、装置内温度という点では、実際の温度を測定しているわけではないことから、一義的な条件では、例えば、連続して、大量の原稿を読み取った後では、装置内温度は、かなり高温となっている場合もあれば、冬の朝一番のスキャンのように冷えきった状態でのスキャンの場合もあり、それぞれに条件が異なるために読み取り品質の許容可能な減光範囲が狭められてしまうケースがあるという課題があった。
この第９の実施の形態では、高価な温度検知をするまでもなく前回のジョブ情報を減光条件に加えることによってより正確に機内の温度情報を予測した減光配分を行うことができ、必要以上の減光による画質劣化を避けることができる。
従って、装置内温度の状態の精度が上がり、より精度の高い調光による温度管理効果が期待できる。
【００２８】
図１２は本発明のスキャナ装置の動作の第１０の実施の形態である、スキャン開始前のプロッタの稼働状況を条件に組み入れて減光配分を行う構成の動作を説明するフローチャートである。図２及び図１２を参照して、原稿をセットし（Ｓ７１）、読み取りを開始する（Ｓ７２）。
残り原稿無しかどうかを判断し（Ｓ７３）、残り原稿無しならば、読み取りを終了する（Ｓ７４）。ステップＳ７３で残り原稿が有るならば、プロッタ出力枚数を算出し（Ｓ７５）、次いで、読み取り済み原稿枚数からモードを選択し（Ｓ７６）、次に、該当モードを安定器２４にセットし（Ｓ７７）、ステップＳ７３に戻って動作を繰り返す。
【００２９】
第９の実施の形態では、前回までのジョブ情報（間隔）によってより正確な減光配分を記していたが、一般的な複写装置またはプロッタ装置（図示せず）のようにスキャナがプロッタ部の上位に位置し、また、転写紙がスキャナ下に排紙／スタックされるような構成では、プロッタ部の熱定着器からの廃熱、転写紙からの輻射熱などの影響も無視できないものがある。
第１０の実施の形態では、第９の実施の形態のようにスキャン開始前のプロッタの稼働状況を条件に組み入れて減光配分を行うので、装置内温度の状態の精度が上がり、より精度の高い調光による温度管理効果が期待できる。
【図面の簡単な説明】
【００３０】
【図１】自動原稿送り装置を含む画像読み取り装置をスキャナ装置として示す概略図である。
【図２】原稿の量によって、光源の明るさを変更する光源の明るさ変更機構の構成を示す概略図である。
【図３】本発明のスキャナ装置の動作の第１の実施の形態である原稿の量によって光源の明るさを変更する動作を説明するフローチャートである。
【図４】本発明のスキャナ装置の動作の第２の実施の形態である原稿の量によって光源の明るさを変更する動作を説明するフローチャートである。
【図５】本発明のスキャナ装置の動作の第３の実施の形態である初期に設定した光量を保ったまま読み取りを継続する構成の動作を説明するフローチャートである。
【図６】本発明のスキャナ装置の動作の第４の実施の形態である検出結果に従い明るさを途中で変更構成の動作を説明するフローチャートである。
【図７】本発明のスキャナ装置の動作の第５の実施の形態であるユーザーの要求に応じてその設定を変える構成の動作を説明するフローチャートである。
【図８】本発明のスキャナ装置の動作の第６の実施の形態である、原稿紙間で、ランプ光源の明るさを決定する構成の動作を説明するフローチャートである。
【図９】第７の実施の形態である明るさを変更後に、アンプゲインも同時に変更する動作を説明する概念図である。
【図１０】第８の実施の形態であるランプ光源の明るさ変更に対応して、シェーディングデータを更新する動作を説明する概念図である。
【図１１】本発明のスキャナ装置の動作の第９の実施の形態である、前回のジョブ情報を減光条件に加えることによってより正確に機内の温度情報を予測した減光配分を行う構成の動作を説明するフローチャートである。
【図１２】本発明のスキャナ装置の動作の第１０の実施の形態である、スキャン開始前のプロッタの稼働状況を条件に組み入れて減光配分を行う構成の動作を説明するフローチャートである。
【符号の説明】
【００３１】
１  スキャナ装置、１ａ  ドキュメントフィーダ（自動原稿送り装置）、２  光源（ランプ光源）、Ａ  原稿量検出手段（センサ）
【図１】
2008054259.tif 000003
【図２】
2008054259.tif 000004
【図３】
2008054259.tif 000005
【図４】
2008054259.tif 000006
【図５】
2008054259.tif 000007
【図６】
2008054259.tif 000008
【図７】
2008054259.tif 000009
【図８】
2008054259.tif 000010
【図９】
2008054259.tif 000011
【図１０】
2008054259.tif 000012
【図１１】
2008054259.tif 000013
【図１２】
2008054259.tif 000014